【手続補正書】
【提出日】平成19年12月31日(2007.12.31)
【手続補正１】
【補正対象書類名】明細書
【補正対象項目名】発明の名称
【補正方法】変更
【補正の内容】
【発明の名称】仕事マッチングシステム
【手続補正２】
【補正対象書類名】明細書
【補正対象項目名】特許請求の範囲
【補正方法】変更
【補正の内容】
【特許請求の範囲】
【請求項１】  ユーザーＡが、他人に依頼したいと希望している仕事が行われるべき場所に関する希望場所データ（ユーザーＡが保有するＧＰＳ受信機により取得される現在位置座標データ、住所、又は、場所の目安（目印）となる施設名称など）を入力するための希望場所入力手段と、
前記ユーザーＡと離れた場所に居るユーザーであって、他人から依頼された仕事を行うことを希望しているユーザーＢが、自分が現在居る現在場所に関するデータ（ユーザーＢが保有するＧＰＳ受信機により取得される現在位置座標データ、住所、又は、場所の目安（目印）となる施設名称など）を入力するための現在場所入力手段と、
前記ユーザーＡからの希望場所と前記ユーザーＢからの現在場所とが互いに同一又は近い場所であるかどうかを判定するための判定手段と、
前記ユーザーＡから入力された希望場所と前記ユーザーＢから入力された現在場所とが互いに同一又は近いものであると判定されたとき、そのことを、双方又は一方のユーザーに知らせるための告知手段と、
を備えたことを特徴とする仕事マッチングシステム。
【請求項２】  ユーザーＡから入力された、ユーザーＡが他人に依頼したいと希望している仕事が行われるべき場所に関する希望場所データ（ユーザーＡが保有するＧＰＳ受信機により取得される現在位置座標データ、住所、又は、場所の目安（目印）となる施設名称など）を受信するための希望場所受信手段と、
前記ユーザーＡと離れた場所に居るユーザーであって、他人から依頼された仕事を行うことを希望しているユーザーＢから入力された、ユーザーＢが現在居る現在場所に関するデータ（ユーザーＢが保有するＧＰＳ受信機により取得される現在位置座標データ、住所、又は、場所の目安（目印）となる施設名称など）を受信するための現在場所受信手段と、
前記ユーザーＡから入力された希望場所と前記ユーザーＢから入力された現在場所とが互いにほぼ同一又は近い場所であるかどうかを判定するための判定手段と、
前記ユーザーＡからの希望場所と前記ユーザーＢから入力された現在場所とが互いにほぼ同一又は近いものであると判定されたとき、そのことを、双方又は一方のユーザーに知らせるための告知手段と、
を備えたことを特徴とする仕事マッチングシステム。
【請求項３】  ユーザーＡが、他人に依頼したいと希望している仕事について、その仕事が行われるべき場所（ユーザーＡが保有するＧＰＳ受信機により取得される現在位置座標データ、住所、又は、場所の目安（目印）となる施設名称など）及びその仕事の報酬を含む依頼希望仕事データを入力するための依頼希望仕事データ入力手段と、
前記ユーザーＡと離れた場所に居るユーザーであって、他人から依頼された仕事を行うことを希望しているユーザーＢが、自分が現在居る現在場所データ（ユーザーＢが保有するＧＰＳ受信機により取得される現在位置座標データ、住所、又は、場所の目安（目印）となる施設名称など）及び自分が仕事を行う場合の報酬を含む受注希望仕事データを入力するための受注希望仕事データ入力手段と、
前記ユーザーＡからの依頼希望仕事データと前記ユーザーＢからの受注希望仕事データとが互いに同一又は近いものかどうかを判定するための判定手段と、
前記ユーザーＡからの依頼希望仕事データと前記ユーザーＢからの受注希望仕事データとが互いに同一又は近いものであると判定されたとき、そのことを、双方又は一方のユーザーに知らせるための告知手段と、
を備えたことを特徴とする仕事マッチングシステム。
【請求項４】  ユーザーＡからの、他人に依頼したいと希望している仕事が行われるべき場所（ユーザーＡが保有するＧＰＳ受信機により取得される現在位置座標データ、住所、又は、場所の目安（目印）となる施設名称など）及びその仕事の報酬を含む依頼希望仕事データを受信するための依頼希望仕事データ受信手段と、
前記ユーザーＡと離れた場所に居るユーザーであって、他人から依頼された仕事を行うことを希望しているユーザーＢからの、自分が現在居る現在場所データ（ユーザーＢが保有するＧＰＳ受信機により取得される現在位置座標データ、住所、又は、場所の目安（目印）となる施設名称など）及び自分が仕事を行う場合の報酬を含む受注希望仕事データを受信するための受注希望仕事データ受信手段と、
前記ユーザーＡからの依頼希望仕事データと前記ユーザーＢからの受注希望仕事データとが互いに同一又は近いものかどうかを判定するための判定手段と、
前記ユーザーＡからの依頼希望仕事データと前記ユーザーＢからの受注希望仕事データとが互いに同一又は近いものであると判定されたとき、そのことを、双方又は一方のユーザーに知らせるための告知手段と、
を備えたことを特徴とする仕事マッチングシステム。
【請求項５】  ユーザーＡが、他人に依頼したいと希望している仕事が行われるべき場所（ユーザーＡが保有するＧＰＳ受信機により取得される現在位置座標データ、住所、又は、場所の目安（目印）となる施設名称など）及び日時を含む依頼希望仕事データを入力するための依頼希望仕事データ入力手段と、
前記ユーザーＡと離れた場所に居るユーザーであって、他人から依頼された仕事を行うことを希望しているユーザーＢが、自分が他人からの仕事を請け負いたい場所（ユーザーＢが保有するＧＰＳ受信機により取得される現在位置座標データ、住所、又は、場所の目安（目印）となる施設名称など）及び日時を含む受注希望仕事データを入力するための受注希望仕事データ入力手段と、
前記ユーザーＡからの依頼希望仕事データと前記ユーザーＢからの受注希望仕事データとが互いに同一又は近いものであるかどうかを判定するための判定手段と、
前記ユーザーＡからの依頼希望仕事データと前記ユーザーＢからの受注希望仕事データとが互いに同一又は近いものであると判定されたとき、そのことを、双方又は一方のユーザーに知らせるための告知手段と、
を備えたことを特徴とする仕事マッチングシステム。
【請求項６】  ユーザーＡからの、他人に依頼したいと希望している仕事が行われるべき場所（ユーザーＡが保有するＧＰＳ受信機により取得される現在位置座標データ、住所、又は、場所の目安（目印）となる施設名称など）及び日時を含む依頼希望仕事データを受信するための依頼希望仕事データ受信手段と、
前記ユーザーＡと離れた場所に居るユーザーであって、他人から依頼された仕事を行うことを希望しているユーザーＢからの、自分が他人からの仕事を請け負いたい場所（ユーザーＢが保有するＧＰＳ受信機により取得される現在位置座標データ、住所、又は、場所の目安（目印）となる施設名称など）及び日時を含む受注希望仕事データを受信するための受注希望仕事データ受信手段と、
前記ユーザーＡからの依頼希望仕事データと前記ユーザーＢからの受注希望仕事データとが互いに同一又は近いものであるかどうかを判定するための判定手段と、
前記ユーザーＡからの依頼希望仕事データと前記ユーザーＢからの受注希望仕事データとが互いに同一又は近いものであると判定されたき、そのことを、双方又は一方のユーザーに知らせるための告知手段と、
を備えたことを特徴とする仕事マッチングシステム。